(57)【要約】【課題】どのような眼鏡でも簡単に取り付けることができ、かつ、綺麗に垂れ下げることができる眼鏡用装飾具を提供する。【解決手段】眼鏡用装飾具１０は、少なくとも１つの筒状ビーズ１１Ａの穴にワイヤーよりなる結合部材１１Ｂを通した吊り下げ部１１と、この吊り下げ部１１の一方の端部に配設され、眼鏡２０のテンプル２１又はモダンに締着することにより取り付ける取り付け部１２と、吊り下げ部１１の他方の端部に配設された装飾部１３とを備えている。筒状ビーズ１１Ａは、いわゆる竹ビーズであり、長さが９ｍｍ以上のものを少なくとも１つ用いることが好ましい。【選択図】図２
0003223374.tif 000002
【実用新案登録請求の範囲】
【請求項１】
眼鏡のテンプル又はモダンに取り付け又は取り外しが可能な眼鏡用装飾具であって、
少なくとも１つの長さが９ｍｍ以上の筒状ビーズの穴にワイヤーよりなる結合部材を通した吊り下げ部と、
この吊り下げ部の一方の端部に配設され、眼鏡のテンプル又はモダンに締着することにより取り付ける取り付け部と、
前記吊り下げ部の他方の端部に配設された装飾部と
を備えたことを特徴とする眼鏡用装飾具。
【請求項２】
前記取り付け部は、弾性材料よりなる１つの環状部材と、この環状部材を挿入する貫通孔が形成された挟み部材とを有し、この挟み部材の貫通孔に前記環状部材を通して挟むことにより、前記環状部材に大きさを変更可能な２つの環状部が形成されていることを特徴とする請求項１記載の眼鏡用装飾具。
【考案の詳細な説明】
【技術分野】
【０００１】
本考案は、眼鏡のテンプル又はモダンに取り付け又は取り外しが可能な眼鏡用装飾具に関する。
【背景技術】
【０００２】
イヤリングやピアス等の耳飾りは、顔の周辺を華やかに彩るものとして、人気が高い装飾具である。しかし、イヤリングは、耳たぶを挟むので耳たぶが痛くなる場合があり、しかも、わずかな衝撃で外れてしまうこともあるという問題があった。また、ピアスは、耳たぶに孔を開けなければならないので、衛生上の問題や、金属アレルギーを引き起こしてしまう場合がある等の問題があった。そこで、近年では、眼鏡のテンプル（つる）やモダン（先セル）に穴をあけ、そこにアクセサリーを吊下げるようにしたものが知られている（例えば、特許文献１参照）。
【０００３】
この眼鏡アクセサリーは、テグスやチェーン等の紐体によって宝飾品を連結し、紐体に取り付けた鉤状部材を眼鏡の耳かけ部の先端に設けた孔に挿入して取り付けるようにしたものである。この眼鏡アクセサリーによれば、眼鏡をかけた時に耳の後方に垂れて、イヤリングと同様の装飾効果を得ることができる。
【先行技術文献】
【特許文献】
【０００４】
【特許文献１】特開２００５−３７６１４公報
【考案の概要】
【考案が解決しようとする課題】
【０００５】
しかしながら、特許文献１に記載の眼鏡アクセサリーでは、眼鏡に取り付け用の孔が設けられている必要があるために眼鏡の選択性が低く、また、小さな孔に取り付ける必要があるので取り付けが面倒であるという問題があった。また、特許文献１に記載の眼鏡アクセサリーでは、紐体によって宝飾品を連結しているので、柔軟性が高くかつ軽いために曲がりやすく、眼鏡をかけた時に耳や髪の毛が邪魔になって曲がってしまい、綺麗に垂れ下がらない場合があるという問題もあった。
【０００６】
本考案は、このような問題に基づきなされたものであり、どのような眼鏡でも簡単に取り付けることができ、かつ、綺麗に垂れ下げることができる眼鏡用装飾具を提供することを目的とする。
【課題を解決するための手段】
【０００７】
本考案の眼鏡用装飾具は、眼鏡のテンプル又はモダンに取り付け又は取り外しが可能なものであって、少なくとも１つの長さが９ｍｍ以上の筒状ビーズの穴にワイヤーよりなる結合部材を通した吊り下げ部と、この吊り下げ部の一方の端部に配設され、眼鏡のテンプル又はモダンに締着することにより取り付ける取り付け部と、吊り下げ部の他方の端部に配設された装飾部とを備えものである。
【考案の効果】
【０００８】
本考案の眼鏡用装飾具によれば、少なくとも１つの長さが９ｍｍ以上の筒状ビーズの穴にワイヤーよりなる結合部材を通した吊り下げ部を備えるようにしたので、柔軟性を低くすることができ、かつ、ある程度の重さを持たせることができる。よって、この眼鏡用装飾具を眼鏡に取り付けて、眼鏡をかけた時に、眼鏡用装飾具が曲がらずに綺麗に垂れ下げることができる。また、取り付け部により眼鏡のテンプル又はモダンに締着するようにしたので、簡単にどのような眼鏡であっても取り付けることができる。よって、眼鏡の選択性が高まり、自由にファッションを楽しむことができる。
【０００９】
また、取り付け部は、弾性材料よりなる１つの環状部材を挟み部材の貫通孔に通して挟むことにより、大きさを変更可能な２つの環状部を形成するようにすれば、２つの環状部に眼鏡のテンプル又はモダンを通して締着する際に、挟み部材の位置を変えて、先に取り付ける方の環状部の大きさを大きくすることにより、容易に取り付けることができる。また、その後、後から取り付ける方の環状部を引っ張って大きさを大きくすることにより、先に取り付けた環状部の大きさを小さくして強固に固定することができると共に、後の環状部も容易に取り付けることができる。
【図面の簡単な説明】
【００１０】
【図１】本考案の一実施の形態に係る眼鏡用装飾具の構成を表す図である。
【図２】図１に示した眼鏡用装飾具を眼鏡に取り付けた状態を表す図である。
【考案を実施するための形態】
【００１１】
以下、本考案の実施の形態について、図面を参照して詳細に説明する。
【００１２】
図１は、本考案の一実施の形態に係る眼鏡用装飾具１０の構成を表すものである。図２は、眼鏡用装飾具１０を眼鏡２０に取り付けた状態を表すものである。この眼鏡用装飾具１０は、眼鏡２０のテンプル２１又はモダンに取り付け又は取り外しが可能なものである。なお、図２では、モダンを備えていない眼鏡２０についてテンプル２１に取り付ける場合について示したが、モダンを備えている場合には、モダンに取り付けてもよい。
【００１３】
この眼鏡用装飾具１０は、少なくとも１つの筒状ビーズ１１Ａの穴にワイヤーよりなる結合部材１１Ｂを通した吊り下げ部１１と、この吊り下げ部１１の一方の端部に配設され、眼鏡２０のテンプル２１又はモダンに締着することにより取り付ける取り付け部１２と、吊り下げ部１１の他方の端部に配設された装飾部１３とを備えている。
【００１４】
筒状ビーズ１１Ａは、いわゆる竹ビーズであり、長さが９ｍｍ以上のものを少なくとも１つ用いることが好ましい。長さは１２ｍｍ以上のものであればより好ましく、数は複数用いることが好ましく、例えば、３個以上用いるようにすればより好ましい。吊り下げ部１１の柔軟性を低くすることができ、曲がらずに綺麗に垂れ下げることができるからである。また、結合部材１１Ｂをワイヤーにより構成するのも同一の理由からである。結合部材１１Ｂを構成するワイヤーの太さは、例えば、０．６ｍｍから０．７ｍｍの範囲内であることが好ましい。ある程度の重さ及び強度を得ることができるからである。
【００１５】
結合部材１１Ｂの一方の端部及び他方の端部には、ワイヤーの先端を曲げた接続部１１Ｃ，１１Ｄが形成されている。取り付け部１２又は装飾部１３を接続するためのものである。接続部１１Ｃ，１１Ｄは、例えば、環状に曲げられていることが好ましい。なお、結合部材１１Ｂの他方の端部側には、丸ビーズ等の他のビーズ１１Ｆが通されていてもよい。更に、長さが９ｍｍ以上の筒状ビーズ１１Ａを複数用いる場合には、各筒状ビーズ１１Ａの間に、丸ビーズ等の他のビーズ１１Ｆを通してもよい。装飾性を高めることができるからである。
【００１６】
取り付け部１２は、例えば、弾性材料よりなる１つの環状部材１２Ａと、この環状部材１２Ａを挿入する貫通孔が形成された挟み部材１２Ｂとを有しており、この挟み部材１２Ｂの貫通孔に環状部材１２Ａを通して挟むことにより、環状部材１２Ａに大きさを変更可能な２つの環状部１２Ｃ，１２Ｄが形成されていることが好ましい。２つの環状部１２Ｃ，１２Ｄに眼鏡２０のテンプル２１又はモダンを通して締着する際に、先に取り付ける方の環状部１２Ｃの大きさを大きくすることにより、その環状部１２Ｃを容易に取り付けることができ、更に、その後、後から取り付ける方の環状部１２Ｄを引っ張って大きさを大きくすることにより、先に取り付けた環状部１２Ｃの大きさを小さくして強固に固定することができると共に、後の環状部１２Ｄも容易に取り付けることができるからである。環状材１２Ａは、例えば、ゴム、又は、シリコーン等の弾性を備えた軟質樹脂により構成される。挟み部材１２Ｂは、例えば、金属又はプラスチックにより構成される。
【００１７】
装飾部１３は、好みに応じて任意の構成とすることができる。また、吊り下げ部１１と取り付け部１２、又は、吊り下げ部１１と装飾部１３は、直接接続されていてもよいが、例えば、環状の連結部材１４を介して接続されていてもよい。
【００１８】
この眼鏡用装飾具１０は、例えば、次のようにして用いられる。まず、取り付け部１２の挟み部材１２Ｂの位置を変えて、一方の環状部１２Ｃの大きさを大きくし、環状部１２Ｃの穴に眼鏡２０のテンプル２１又はモダンを通す。次いで、他方の環状部１２Ｄを引っ張って環状部１２Ｄの大きさを大きくする。これにより、先に取り付けた環状部１２Ｃの大きさが小さくなり、眼鏡２０のテンプル２１又はモダンに強固に固定される。続いて、環状部１２Ｄの穴に眼鏡２０のテンプル２１又はモダンを通すことにより、取り付けられる。
【００１９】
眼鏡用装飾具１０を取り付けた眼鏡２０をかけると、少なくとも１つの筒状ビーズ１１Ａの穴にワイヤーよりなる結合部材１１Ｂを通した吊り下げ部１１により、眼鏡用装飾具１０は、例えば、耳の後ろで曲がらずに綺麗に垂れ下がり、装飾部１３が揺れて見える。
【００２０】
このように本実施の形態によれば、少なくとも１つの長さが９ｍｍ以上の筒状ビーズ１１Ａの穴にワイヤーよりなる結合部材１１Ｂを通した吊り下げ部１１を備えるようにしたので、柔軟性を低くすることができ、かつ、ある程度の重さを持たせることができる。よって、眼鏡用装飾具１０は曲がらずに綺麗に垂れ下げることができる。また、取り付け部１２により眼鏡２０のテンプル２１又はモダンに締着するようにしたので、簡単にどのような眼鏡２０であっても取り付けることができる。よって、眼鏡２０の選択性が高まり、自由にファッションを楽しむことができる。
【００２１】
また、取り付け部１２は、弾性材料よりなる１つの環状部材１２Ａを挟み部材１２Ｂの貫通孔に通して挟むことにより、大きさを変更可能な２つの環状部１２Ｃ，１２Ｄを形成するようにすれば、２つの環状部１２Ｃ，１２Ｄに眼鏡２０のテンプル２１又はモダンを通して締着する際に、挟み部材１２Ｂの位置を変えて、先に取り付ける方の環状部１２Ｃの大きさを大きくすることにより、容易に取り付けることができる。また、その後、後から取り付ける方の環状部１２Ｄを引っ張って大きさを大きくすることにより、先に取り付けた環状部１２Ｃの大きさを小さくして強固に固定することができると共に、後の環状部１２Ｄも容易に取り付けることができる。
【００２２】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２３】
１０…眼鏡用装飾具、１１…吊り下げ部、１１Ａ…筒状ビーズ、１１Ｂ…結合部材、１１Ｃ，１１Ｄ…接続部、１１Ｆ…ビーズ、１２…取り付け部、１２Ａ…環状部材、１２Ｂ…挟み部材、１２Ｃ，１２Ｄ…環状部、１３…装飾部、１４…連結部材、２０…眼鏡、２１…テンプル
【図１】
0003223374.tif 000003
【図２】
0003223374.tif 000004